(57)【要約】【課題】滴下気化式加湿エレメントを鉛直方向に積み重ねて配置して、装置の鉛直方向の投影面積を小さくした床置き設置の換気装置を得ること。【解決手段】換気装置６０は、室外空気を吸い込んで室内に給気空気を供給する給気送風機２９と、室内空気を吸い込んで室外へ排気する排気送風機２７と、室外空気と室内空気との間で全熱交換を行う熱交換素子１１と、給気空気を加湿する滴下気化式の加湿エレメント及び加湿エレメントからの排水を受ける水受け部を備えた加湿エレメントユニット３３と、水受け部に受けた水を排水する排水管とを有し、加湿エレメントユニット３３が高さ方向に複数個段積みに設置されており、排水管は、加湿エレメントの鉛直方向の投影面上とは異なる位置で水受け部に接続されており、加湿エレメントユニット同士の間には、排水管が配置されていない。【選択図】図２
2019190673.tif 000002
【特許請求の範囲】
【請求項１】
室外空気を吸い込んで室内に給気空気を供給する給気送風機と、
室内空気を吸い込んで室外へ排気する排気送風機と、
前記室外空気と前記室内空気との間で全熱交換を行う熱交換素子と、
前記給気空気を加湿する滴下気化式の加湿エレメント及び前記加湿エレメントからの排水を受ける水受け部を備えた加湿エレメントユニットと、
前記水受け部に受けた水を排水する排水管とを有し、
前記加湿エレメントユニットが高さ方向に複数個段積みに設置されており、
前記排水管は、前記加湿エレメントの鉛直方向の投影面上とは異なる位置で前記水受け部に接続されており、
前記加湿エレメントユニット同士の間には、前記排水管が配置されていないことを特徴とする換気装置。
【請求項２】
前記排水管と前記加湿エレメントとを隔てる排水管部遮蔽板を備えることを特徴とする請求項１に記載の換気装置。
【請求項３】
各々の前記水受け部に接続された前記排水管は、排水経路途中で前記加湿エレメントユニットの個数よりも少ない数に集約されており、集約される前記排水管のうち上段側の前記排水管には、流路圧損が増す曲げ部が設けられていることを特徴とする請求項１に記載の換気装置。
【請求項４】
各々の前記水受け部に接続された前記排水管は、排水経路途中で前記加湿エレメントユニットの個数よりも少ない数に集約されており、集約される前記排水管のうち上段側の前記排水管は、下段側の前記排水管よりも管径が小さいことを特徴とする請求項１に記載の換気装置。
【請求項５】
前記水受け部は、上下に貫通する穴の下部に、前記水受け部と別部品である排水口部品が設置されており、
前記排水管は、前記排水口部品に接続されていることを特徴とする請求項１に記載の換気装置。
【発明の詳細な説明】
【技術分野】
【０００１】
本発明は、加湿エレメントを備えた床置き設置の換気装置に関する。
【背景技術】
【０００２】
加湿エレメントを備えた床置き設置の換気装置は、機械室のような限られた空間に設置されるため、高さの制約よりも鉛直方向の投影面積の制約の方が大きいことが多い。
【０００３】
特許文献１には、複数の加湿エレメントユニットを鉛直方向に積み重ねて配置することで、装置の鉛直方向の投影面積を小さくして、設置の自由度を高くした換気装置が開示されている。
【先行技術文献】
【特許文献】
【０００４】
【特許文献１】特開２０００−２８３５１７号公報
【発明の概要】
【発明が解決しようとする課題】
【０００５】
特許文献１に開示される換気装置は、複数の加湿エレメントユニットが鉛直方向に隙間無く積み重ねられている。隙間なく積み重ねることが可能な加湿エレメントユニットには、透湿膜式の加湿エレメントユニットが挙げられる。透湿膜式の加湿エレメントは、透湿性を有する袋の中に水を入れ、袋の表面から水蒸気の状態で放出させることにより、袋の表面を流れる空気を加湿する。
【０００６】
一方、加湿エレメントの一種である滴下気化式の加湿エレメントは、加湿エレメントに染み込んだ水が下方に移動していく過程で蒸発することによって空気を加湿させていく。滴下気化式の加湿エレメントの加湿素子は、保水性を備えていれば特定の材料及び形状に限定されない。したがって、滴下気化式の加湿エレメントの加湿素子は、透湿性を有する膜を袋状に成形する必要のある透湿膜式の加湿エレメントの加湿素子よりも製造が容易である。このため、床置き設置の換気装置において、滴下気化式の加湿エレメントを鉛直方向に積み上げて鉛直方向の投影面積を小さくすることに対するニーズがある。
【０００７】
一般的な滴下気化式の加湿エレメントは、蒸発しなかった余分な水をサブドレンパンで受け、排水管を通じて排水する。したがって、一般的な滴下気化式の加湿エレメントは、加湿エレメントの下方に排水管を引き回す必要がある。しかしながら、特許文献１に開示される換気装置は、積み重ねられた各加湿エレメントの下方に排水管を引き回すスペースがない。したがって、特許文献１に開示される換気装置に一般的な滴下気化式の加湿エレメントユニットを適用することはできない。
【０００８】
本発明は上記に鑑みてなされたものであって、滴下気化式加湿エレメントユニットを鉛直方向に積み重ねて配置して、装置の鉛直方向の投影面積を小さくした床置き設置の換気装置を提供することを目的とする。
【課題を解決するための手段】
【０００９】
上述した課題を解決し、目的を達成するために、本発明は、室外空気を吸い込んで室内に給気空気を供給する給気送風機と、室内空気を吸い込んで室外へ排気する排気送風機と、室外空気と室内空気との間で全熱交換を行う熱交換素子と、給気空気を加湿する滴下気化式の加湿エレメント及び加湿エレメントからの排水を受ける水受け部を備えた加湿エレメントユニットと、水受け部に受けた水を排水する排水管とを有する。加湿エレメントユニットが高さ方向に複数個段積みに設置されている。排水管は、加湿エレメントの鉛直方向の投影面上とは異なる位置で水受け部に接続されている。加湿エレメントユニット同士の間には、排水管が配置されていない。
【発明の効果】
【００１０】
本発明によれば、滴下気化式加湿エレメントユニットを鉛直方向に積み重ねて配置して、装置の鉛直方向の投影面積を小さくした床置き設置の換気装置を提供できるという効果を奏する。
【図面の簡単な説明】
【００１１】
【図１】本発明の実施の形態１に係る換気装置の斜視図
【図２】実施の形態１に係る換気装置の正面図
【図３】実施の形態１に係る換気装置の熱交換素子の正面図
【図４】実施の形態１に係る換気装置の平面図
【図５】実施の形態１に係る換気装置の平面図
【図６】実施の形態１に係る換気装置の加湿部及び給気連通路部の正面図
【図７】実施の形態１に係る換気装置の加湿エレメントユニットの斜視図
【図８】実施の形態１に係る換気装置の加湿エレメントユニットの分解斜視図
【図９】実施の形態１に係る換気装置のサブドレンパンの斜視図
【図１０】実施の形態１に係る換気装置のサブドレンパンの斜視図
【図１１】実施の形態１に係る換気装置のサブドレンパン排水口を示す図
【図１２】実施の形態１に係る換気装置の加湿部の正面側斜視図
【図１３】実施の形態１に係る換気装置の加湿部の背面側斜視図
【図１４】実施の形態１に係る換気装置の加湿部の正面側斜視図
【図１５】実施の形態１に係る換気装置の加湿部下方の排水管の合流部の斜視図
【図１６】実施の形態１に係る換気装置の排水配管合流部の排水管を示す図
【発明を実施するための形態】
【００１２】
以下に、本発明の実施の形態に係る換気装置を図面に基づいて詳細に説明する。なお、この実施の形態によりこの発明が限定されるものではない。
【００１３】
実施の形態１．
図１は、本発明の実施の形態１に係る換気装置の斜視図である。図２は、実施の形態１に係る換気装置の正面図である。実施の形態１に係る換気装置６０は、室内に給気する空気と室外へ排気する空気との熱交換を行う熱交換素子１１を備えた熱交換素子部１、熱交換素子１１に流入する気流を分配する分配通路部２、熱交換素子１１を通過した気流を集める集合通路部３、室内から吸い込んだ空気が流入する室内吸気チャンバ部４、室内に給気する空気流を発生させる給気用送風機部５、室外へ排気する空気流を発生させる排気用送風機部６、室内に給気する空気が通過する給気連通路部７、室内に給気する空気を加湿する加湿部８、送風機を制御する回路部９を備え、各部がケーシング１０内で組み合わされている。
【００１４】
熱交換素子部１は、換気装置６０の中央部に区画形成されたスペースに配置され、熱交換素子部１の左側部には分配通路部２、右側部には集合通路部３がそれぞれ配設されている。また、熱交換素子部１には、複数の熱交換素子１１が鉛直方向に積み重ねられて収納されている。なお、換気装置６０は、図示する構造と左右対称の構造であってもよい。
【００１５】
図３は、実施の形態１に係る換気装置の熱交換素子の正面図である。図３に示すように、熱交換素子１１は、室内空気吸い込み面１２と外気吸い込み面１３とが、熱交換素子１１の左側面において、上下対称的に配置され、かつ、室内空気吹き出し面１４と外気吹き出し面１５とが、熱交換素子１１の右側面において、上下対称的に配置されるように鉛直方向に並べて配置されている。
【００１６】
また、室内空気吸い込み面１２から吸い込んだ室内空気と、外気吸い込み面１３から吸い込んだ外気とが混ざらないように、熱交換素子１１の左側面に垂直に吸い込み面仕切板１６が設けられている。また、同じく室内空気吹き出し面１４から吹き出した室内空気と、外気吹き出し面１５から吹き出した外気が混ざらないように、熱交換素子１１の右側面に垂直に吹き出し面仕切板１７が設けられている。また、吸い込み面仕切板１６及び吹き出し面仕切板１７により、熱交換素子部１の左側においては室内空気吸い込み面１２と外気吸い込み面１３とが上から下へ交互に配置されている。同様に、熱交換素子部１の右側において室内空気吹き出し面１４と外気吹き出し面１５とが上から下へ交互に配置されている。
【００１７】
図４及び図５は、実施の形態１に係る換気装置の平面図である。分配通路部２は、分配通路部仕切板５０によって前後で区分けされており、前面側には室内吸気チャンバ部４を通って吸われた室内空気が室内空気吸い込み面１２と連通される風上側排気分配通路１８が配設され、後面側には回路部９の上部にある外気吸い込み口１９から吸われた外気が外気吸い込み面１３と連通される風上側給気分配通路２０が配設されている。また、集合通路部３は、集合通路部仕切板５１によって前後で区分けされており、前面側には室内空気吹き出し面１４から吹き出された室内空気が排気用送風機部６に連通される風下側排気分配通路２１が配設され、後面側には外気吹き出し面１５から吹き出された外気が給気連通路部７に連通される風下側給気分配通路２２が配設されている。
【００１８】
分配通路部２は、前述したように、前面側に風上側排気分配通路１８が配設され、後面側に風上側給気分配通路２０が配設され、さらに、風上側排気分配通路１８の側方に排気バイパス通路２３が形成されている。排気バイパス通路２３は、熱交換素子下部排気バイパス通路２４を通って、風下側排気分配通路２１に連通されている。また、排気バイパス通路２３と風上側排気分配通路１８との分岐路には切り換えダンパ２５が配置されており、室内吸気チャンバ部４を風上側排気分配通路１８に連通するか、排気バイパス通路２３に連通するかを切り換えることができる。なお、風上側排気分配通路１８と風上側給気分配通路２０との前後関係は特に上記の関係に限定されるものではなく、上記と逆の配置にしても良い。また、同じく集合通路部３は、前述したように、前面側に風下側排気分配通路２１が配設され、後面側に風下側給気分配通路２２が配設されているが、この位置関係に限定されるものではなく、上記と逆の配置にしても良い。
【００１９】
室内吸気チャンバ部４は、左側の側面に室内空気を取り込むための室内空気吸い込み口２６が設けられている。また、右側の側面は風上側排気分配通路１８の上方に設けられた連通口と連通されている。
【００２０】
排気用送風機部６は、換気装置６０の右上部に配置されており、内部に排気送風機２７及び排気送風機用モータ２７ａを収納している。排気送風機２７の吹き出し口は、排気送風機２７の上面に設けられた室内排気を排出するための室内空気吹き出し口２８に連通されている。また、排気送風機２７の吸い込み口は風下側排気分配通路２１に開口されている。
【００２１】
給気用送風機部５は、排気用送風機部６の下方に配置されており、内部に給気送風機２９及び給気送風機用モータ２９ａを収納している。給気送風機２９の吹き出し口は下方に向けられており、給気連通路部７に連通されている。また、給気送風機２９の吸い込み口は風下側給気分配通路２２に開口されている。
【００２２】
給気連通路部７には直膨コイル３０が配置されており、給気送風機２９から吹き出された空気を、直膨コイル３０を通すことで、暖めたり冷やしたりすることができる。なお、室内に吹き出す空気を暖めたり冷やしたりする必要がない場合には、直膨コイル３０を省略した構成にしても良い。また、直膨コイル３０の下部には、直膨コイル３０の全体を受けるようにドレンパン３１が配設されており、直膨コイル３０に結露した水を受けることができる。
【００２３】
加湿部８は、右側が給気連通路部７に連通されている。また、加湿部８の左側には給気送風機２９により吹き出した空気を室内に供給するための外気吹き出し口３２が配設されている。
【００２４】
図６は、実施の形態１に係る換気装置の加湿部及び給気連通路部の正面図である。加湿部８には、鉛直方向に複数の加湿エレメントユニット３３が積み重ねて配設されている。また、加湿エレメントユニット３３の右側は給気連通路部７に連通されており、給気連通路部７を通って送られてきた空気が加湿エレメントユニット３３に当たるように配設されている。また、加湿部８の下部には、ドレンパン３１が配設されており、直膨コイル３０とともに、加湿部８全体を受けるように設けられている。
【００２５】
ドレンパン３１には、ドレンパン排水口３４が設けられており、ドレンパン３１で受けた水を換気装置６０の外に排水することができる。
【００２６】
加湿部８の下方には、直膨コイル３０に冷媒を流すための直膨コイル配管３５が通っている。直膨コイル配管３５の周りは配管部遮蔽板３６で覆われており、加湿エレメントユニット３３以外から加湿部８に風が通ることを防止している。なお、直膨コイル３０を備えない構成の場合には、加湿部８の下部の直膨コイル配管３５を通す部分にも加湿エレメントユニット３３を配設することで、換気装置６０の高さ寸法を大きくすることなく、加湿エレメントユニット３３の搭載数を増やすことができる。
【００２７】
図７は、実施の形態１に係る換気装置の加湿エレメントユニットの斜視図である。図８は、実施の形態１に係る換気装置の加湿エレメントユニットの分解斜視図である。加湿エレメントユニット３３は、滴下気化式の加湿エレメント３７、加湿エレメント３７から排出された水を受ける水受け部であるサブドレンパン３８、加湿エレメント３７を保持する加湿エレメント保持部品３９及びサブドレンパン３８を保持するサブドレンパン保持部品４０を備える。なお、図７には、加湿エレメント３７が備える加湿素子４１を一部のみ図示している。加湿エレメント３７は、下部から排水される加湿方式であれば良い。
【００２８】
加湿エレメント３７の上部から供給した水を加湿素子４１に含ませ、湿った加湿素子４１に送風することで空気を加湿する。また、加湿素子４１にて加湿に使用されなかった水は、加湿エレメント３７の下部から排水される。
【００２９】
加湿エレメント３７の下部には加湿エレメント３７全体を受けるように、サブドレンパン３８が配設されている。
【００３０】
図９及び図１０は、実施の形態１に係る換気装置のサブドレンパンの斜視図である。サブドレンパン３８には、サブドレンパン３８で受けた水を流すためのサブドレンパン排水口４２が設けられており、サブドレンパン３８の水を受ける表面には、サブドレンパン排水口４２に集水するように、サブドレンパン排水口４２に向かう下り勾配が設けられている。また、サブドレンパン排水口４２は、加湿エレメントユニット３３の後方であり、かつ加湿エレメント３７の鉛直方向の投影面とは異なる場所に設けられている。
【００３１】
図１１は、実施の形態１に係る換気装置のサブドレンパン排水口を示す図である。サブドレンパン排水口４２は、図１１に示すように、サブドレンパン３８とサブドレンパン排水口４２を別体で構成し、サブドレンパン３８の形状を簡易にすることで、成型性を改善しても良い。
【００３２】
また、サブドレンパン３８は、加湿エレメント保持部品３９及びサブドレンパン保持部品４０で上下から囲まれて保持されている。加湿エレメント保持部品３９の加湿エレメント３７の搭載面には、加湿エレメント３７から流れ出た水をサブドレンパン３８に流す孔４３が設けられている。加湿エレメント保持部品３９及びサブドレンパン保持部品４０は、サブドレンパン３８を固定するだけでなく、サブドレンパン３８への風の流入を防止し、サブドレンパン３８に受けた水が送風により飛散することを防止している。
【００３３】
加湿エレメント３７は、加湿エレメント保持部品３９の上に載せられている。加湿エレメント保持部品３９の縁部３９ａは、サブドレンパン保持部品４０の側壁部４０ａの上に載るようになっており、加湿エレメント保持部品３９は、サブドレンパン保持部品４０によって支持される。したがって、加湿エレメント保持部品３９に載せられた加湿エレメント３７の重量よる力は、サブドレンパン保持部品４０に加わり、サブドレンパン３８には加わらない。上記のように加湿エレメント３７を加湿エレメント保持部品３９で保持することにより、サブドレンパン３８に応力がかかることが防止される。したがって、サブドレンパン３８は、加湿エレメント３７の重量に耐える強度を備える必要はなく、ＡＢＳ樹脂とも称されるアクリロニトリル−ブタジエン−スチレン樹脂といった形状の自由度が高く、安価な材料で形成することができる。
【００３４】
図１２は、実施の形態１に係る換気装置の加湿部の正面側斜視図である。図１３は、実施の形態１に係る換気装置の加湿部の背面側斜視図である。図１４は、実施の形態１に係る換気装置の加湿部の正面側斜視図である。加湿部８には、上下に伸びる柱部品４４ａ，４４ｂ，４４ｃ，４４ｄが四隅に設けられており、加湿エレメントユニット３３は、柱部品４４ａ，４４ｂ，４４ｃ，４４ｄに、サブドレンパン保持部品４０のねじ締結部５２でねじ固定されている。ねじ締結部５２のねじは、加湿部８の前面に設けられた加湿部メンテナンス口４５から取付け、取外しができる向きでねじ締めがされており、加湿部メンテナンス口４５から加湿エレメントユニット３３の取付け、取外しが可能である。なお、図１２では加湿エレメントユニット３３が４段になって柱部品４４ａ，４４ｂ，４４ｃ，４４ｄに固定された構成となっているが、必要な加湿量に合わせて、加湿エレメントユニット３３の構成数を変更することができる。
【００３５】
また、サブドレンパン３８には、サブドレンパン排水口４２に集まった水を換気装置６０の外へ排水する排水管４６が、加湿エレメント３７の鉛直方向の投影面上とは異なる位置でサブドレンパン３８に接続されている。排水管４６は、加湿エレメントユニット３３の後方であり、かつ加湿エレメント３７の鉛直方向の投影面と重ならない部分である排水管配設部４８を通って加湿部８の下部に導かれ、ドレンパン排水口３４に挿入される。これにより、排水管４６を通った水は、換気装置６０の外へ直接排水される。排水管４６は、加湿エレメント３７の鉛直方向の投影面上とは異なる位置でサブドレンパン３８に接続され、かつ加湿エレメント３７の鉛直方向の投影面上とは異なる位置を引き回されて配置されているため、加湿エレメントユニット３３同士の間に排水管４６は配置されない。したがって、加湿エレメントユニット３３同士の間に排水管４６を引き回すスペースを設ける必要はない。
【００３６】
排水管配設部４８は、排水管部遮蔽板４７により加湿エレメント３７と隔てられている。これにより、排水管配設部４８への風の侵入を防止することで、加湿エレメント３７以外に風がバイパスすることを防止しているとともに、サブドレンパン排水口４２及び排水管４６から水漏れが発生した場合にも、送風により水が飛散することを防止している。また、排水管４６は、加湿エレメントユニット３３ごとに取付けられている。図１３に示すように、実施の形態１では加湿エレメントユニット３３が４個搭載されているため、１段目排水管４６ａ、２段目排水管４６ｂ、３段目排水管４６ｃ及び４段目排水管４６ｄの４本が、加湿エレメントユニット３３に接続されている。
【００３７】
図１５は、実施の形態１に係る換気装置の加湿部下方の排水管の合流部の斜視図である。加湿エレメントユニット３３の個数分の排水管４６は、加湿部８の下部で合流し、加湿エレメントユニット３３の個数よりも少ない数に集約されている。これにより、ドレンパン排水口３４に挿入する排水管４６の本数を減らすことで、ドレンパン排水口３４が大きくなることを抑制することができる。
【００３８】
図１６は、実施の形態１に係る換気装置の排水配管合流部の排水管を示す図である。排水管４６は、１段目排水管４６ａと２段目排水管４６ｂとを合流させ、３段目排水管４６ｃと４段目排水管４６ｄとを合流させている。１段目排水管４６ａ及び３段目排水管４６ｃは、経路上にＬ形排水管４９を設けている。Ｌ形排水管４９を配置することにより、１段目排水管４６ａ及び３段目排水管４６ｃの流路圧損が増し、１段目の加湿エレメントユニット３３と２段目の加湿エレメントユニット３３との水頭圧による排水量の差及び３段目の加湿エレメントユニット３３と４段目の加湿エレメントユニット３３との水頭圧による排水量の差を抑制し、１段目排水管４６ａと２段目排水管４６ｂとの排水量の均一化及び３段目排水管４６ｃと４段目排水管４６ｄとの排水量の均一化を図ることができる。
【００３９】
なお、合流する上段の排水管４６の流路圧損を増すことができれば良く、Ｌ形排水管４９の使用には限らない。排水管４６の流路圧損の調整の方法の一例には、より上段の排水管４６の管径を小さくするなどの方法がある。
【００４０】
実施の形態１に係る換気装置６０は、外気を加湿させて室内に空気を取り入れる床置き型の換気装置６０に滴下気化式の加湿エレメントユニット３３を搭載するにあたり、加湿エレメントユニット３３からの排水が飛散することを防止した上で、加湿エレメントユニット３３を上下に積み重ねて搭載することができ、製品の設置のための床面積を最小とすることで、製品設置の自由度を増すことを可能とする。
【００４１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４２】
１  熱交換素子部、２  分配通路部、３  集合通路部、４  室内吸気チャンバ部、５  給気用送風機部、６  排気用送風機部、７  給気連通路部、８  加湿部、９  回路部、１０  ケーシング、１１  熱交換素子、１２  室内空気吸い込み面、１３  外気吸い込み面、１４  室内空気吹き出し面、１５  外気吹き出し面、１６  吸い込み面仕切板、１７  吹き出し面仕切板、１８  風上側排気分配通路、１９  外気吸い込み口、２０  風上側給気分配通路、２１  風下側排気分配通路、２２  風下側給気分配通路、２３  排気バイパス通路、２４  熱交換素子下部排気バイパス通路、２５  切り換えダンパ、２６  室内空気吸い込み口、２７  排気送風機、２７ａ  排気送風機用モータ、２８  室内空気吹き出し口、２９  給気送風機、２９ａ  給気送風機用モータ、３０  直膨コイル、３１  ドレンパン、３２  外気吹き出し口、３３  加湿エレメントユニット、３４  ドレンパン排水口、３５  直膨コイル配管、３６  配管部遮蔽板、３７  加湿エレメント、３８  サブドレンパン、３９  加湿エレメント保持部品、３９ａ  縁部、４０  サブドレンパン保持部品、４０ａ  側壁部、４１  加湿素子、４２  サブドレンパン排水口、４３  孔、４４ａ，４４ｂ，４４ｃ，４４ｄ  柱部品、４５  加湿部メンテナンス口、４６  排水管、４６ａ  １段目排水管、４６ｂ  ２段目排水管、４６ｃ  ３段目排水管、４６ｄ  ４段目排水管、４７  排水管部遮蔽板、４８  排水管配設部、４９  Ｌ形排水管、５０  分配通路部仕切板、５１  集合通路部仕切板、５２  ねじ締結部、６０  換気装置。
【図１】
2019190673.tif 000003
【図２】
2019190673.tif 000004
【図３】
2019190673.tif 000005
【図４】
2019190673.tif 000006
【図５】
2019190673.tif 000007
【図６】
2019190673.tif 000008
【図７】
2019190673.tif 000009
【図８】
2019190673.tif 000010
【図９】
2019190673.tif 000011
【図１０】
2019190673.tif 000012
【図１１】
2019190673.tif 000013
【図１２】
2019190673.tif 000014
【図１３】
2019190673.tif 000015
【図１４】
2019190673.tif 000016
【図１５】
2019190673.tif 000017
【図１６】
2019190673.tif 000018